【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
画像を入力する入力手段と、
前記画像を圧縮して圧縮画像を生成する圧縮手段と、
前記圧縮画像を記憶する記憶手段と、
前記圧縮画像を前記記憶手段から読み出して前記圧縮画像を伸長して伸長画像を生成し、前記伸長画像を用いてノイズ除去処理を実行する処理手段と、
前記圧縮画像を前記記憶手段から読み出して前記圧縮画像を伸長して伸長画像を生成し、前記伸長画像を符号化して符号化データを生成する生成手段と、
前記圧縮画像を前記記憶手段から読み出して前記圧縮画像を伸長して伸長画像を生成し、前記伸長画像を表示部へ出力する出力手段と、
を備え、
前記処理手段、前記生成手段及び前記出力手段における前記圧縮画像の前記記憶手段からの読み出しは、それぞれ独立して行われることを特徴とする装置。
【請求項２】
前記処理手段、前記生成手段及び前記出力手段における前記圧縮画像の前記記憶手段からの読み出しは、ランダムアクセスにより実行されることを特徴とする請求項１に記載の装置。
【請求項３】
前記処理手段は、前記圧縮画像をラスター順に前記記憶手段から読み出すことを特徴とする請求項１に記載の装置。
【請求項４】
前記生成手段は、前記圧縮画像を所定サイズのブロックごとに前記記憶手段から読み出すことを特徴とする請求項１に記載の装置。
【請求項５】
前記処理手段は、前記圧縮画像を前記ノイズ除去処理の対象の画像領域に応じた位置から読み出すことを特徴とする請求項１に記載の装置。
【請求項６】
前記圧縮画像は、前記画像を複数の領域に分割し、各領域の分割画像を圧縮することにより生成されたことを特徴とする請求項１から５のいずれか１項に記載の装置。
【請求項７】
前記圧縮画像は、前記画像の１ラインの符号量が固定長になるように圧縮することにより生成されることを特徴とする請求項１から５のいずれか１項に記載の装置。
【請求項８】
前記ラインは複数のブロックを有し、前記ブロックの符号量は可変長であることを特徴とする請求項７に記載の装置。
【請求項９】
前記圧縮画像は、前記画像を色空間で圧縮して生成されたことを特徴とする請求項１から５のいずれか１項に記載の装置。
【請求項１０】
前記伸長画像は周波数空間で符号化されることを特徴とする請求項１から９のいずれか１項に記載の装置。
【請求項１１】
前記処理手段、前記生成手段及び前記出力手段における前記圧縮画像の伸長は、それぞれ独立して行われることを特徴とする請求項１から１０のいずれか１項に記載の装置。
【請求項１２】
前記符号化データは記録媒体に記録されることを特徴とする請求項１から１１のいずれか１項に記載の装置。
【請求項１３】
撮像装置であることを特徴とする請求項１から１２のいずれか１項に記載の装置。
【請求項１４】
画像を入力する入力手段と、
前記画像を圧縮して圧縮画像を生成する圧縮手段と、
前記圧縮画像を記憶する記憶手段と、
を備える装置の制御方法であって、
前記圧縮画像を前記記憶手段から読み出して前記圧縮画像を伸長して伸長画像を生成し、前記伸長画像を用いてノイズ除去処理を実行する処理工程と、
前記圧縮画像を前記記憶手段から読み出して前記圧縮画像を伸長して伸長画像を生成し、前記伸長画像を符号化して符号化データを生成する生成工程と、
前記圧縮画像を前記記憶手段から読み出して前記圧縮画像を伸長して伸長画像を生成し、前記伸長画像を表示部へ出力する出力工程と、
を含み、
前記処理工程、前記生成工程及び前記出力工程における前記圧縮画像の前記記憶手段からの読み出しは、それぞれ独立して行われることを特徴とする装置の制御方法。
【請求項１５】
コンピュータを請求項１から１３のいずれか１項に記載の装置の各手段として機能させるためのプログラム。
【手続補正２】
【補正対象書類名】明細書
【補正対象項目名】０００８
【補正方法】変更
【補正の内容】
【０００８】
上記課題を解決する装置は、
画像を入力する入力手段と、
前記画像を圧縮して圧縮画像を生成する圧縮手段と、
前記圧縮画像を記憶する記憶手段と、
前記圧縮画像を前記記憶手段から読み出して前記圧縮画像を伸長して伸長画像を生成し、前記伸長画像を用いてノイズ除去処理を実行する処理手段と、
前記圧縮画像を前記記憶手段から読み出して前記圧縮画像を伸長して伸長画像を生成し、前記伸長画像を符号化して符号化データを生成する生成手段と、
前記圧縮画像を前記記憶手段から読み出して前記圧縮画像を伸長して伸長画像を生成し、前記伸長画像を表示部へ出力する出力手段と、
を備え、
前記処理手段、前記生成手段及び前記出力手段における前記圧縮画像の前記記憶手段からの読み出しは、それぞれ独立して行われる。
【手続補正３】
【補正対象書類名】明細書
【補正対象項目名】００１５
【補正方法】変更
【補正の内容】
【００１５】
なお、本実施形態において、画像データの信号フォーマットはＹＣｂＣｒに限定されるものではなく、グレースケール、ＲＧＢ、ベイヤー配列データなどの画像データ形式であってもよい。画像データのビット数は１０ビットに限定されるものではなく、８ビット、１２ビットなどであってもよい。また、符号化ブロックサイズは水平３２画素×垂直１画素に限定されるものではなく任意のサイズでよい。例えば水平８画素×垂直８画素のように２次元構造としてもよい。
【手続補正４】
【補正対象書類名】明細書
【補正対象項目名】００４１
【補正方法】変更
【補正の内容】
【００４１】
以下、符号化パラメータ決定部４０３における処理内容の詳細を説明する。本実施形態における、符号化パラメータ決定部４０３の処理手順について、図５を参照して説明する。図５（Ａ）において、符号化ブロック毎に処理が開始されると、Ｓ５０１において符号化パラメータ決定部４０３は、仮符号化部４０２−０〜４０２−Ｎのそれぞれから、対応するＱＰを用いた仮符号化処理により得られた符号長を画素毎に取得する。続くＳ５０２において符号化パラメータ決定部４０３は、１つの符号化ブロックに含まれる画素数分だけ取得した画素毎の符号長を累積し、符号化ブロック全体の符号量を求める。当該符号量はＱＰ毎に算出する。本実施形態において算出された符号量を、ＱＰ値：ｑｐを要素として、ブロック符号量：ｂｌ＿ｓｉｚｅ［ｑｐ］と表す。
【手続補正５】
【補正対象書類名】明細書
【補正対象項目名】００４６
【補正方法】変更
【補正の内容】
【００４６】
また、符号化ブロックの符号量が割当符号量ＡＳＳＩＧＮ＿ＳＩＺＥを超える場合（Ｓ５１３で「ＮＯ」）、処理はＳ５１５に進み、ｑｐの値が最大値のＭＡＸ＿ＱＰよりも小さいかどうかを判定する。ここで、ｑｐの値が最大値より小さい場合（Ｓ５１５において「ＹＥＳ」）、処理はＳ５１６に進み、ｑｐの値をインクリメントしてＳ５１２に戻って上記処理を繰り返し、割当符号量以下となるＱＰを選定する。一方、ｑｐの値が最大値と一致する場合（Ｓ５１５において「ＮＯ」）、処理はＳ５１７に進む。
【手続補正６】
【補正対象書類名】明細書
【補正対象項目名】００５１
【補正方法】変更
【補正の内容】
【００５１】
本符号化部４１２の構成は、前述の符号化コア部１１０の構成にすることができる。本符号化部４１２は、仮符号化系４００で決定した符号化パラメータを用いて、遅延された画像データを符号化する本符号化処理を実行する。本符号化処理によれば、符号化パラメータ決定部４０３で算出したブロック符号長と同じ符号長の符号データが生成され、多重化部４１３に出力される。
【手続補正７】
【補正対象書類名】明細書
【補正対象項目名】００６１
【補正方法】変更
【補正の内容】
【００６１】
図７(Ａ)にその様子を示す。図７(Ａ)は、処理対象の１画像をメモリバス圧縮の処理単位である圧縮ブロックで分けた様子を示している。また画像の中央で左右の分割領域に分割されており、画像処理の処理単位は左右の分割領域となる。各圧縮ブロック内に示す"320bit"とは、各圧縮ブロックをメモリバス圧縮手段で圧縮した後の圧縮データ量を示している。この例では、1画素10bitで輝度32画素、色差32画素の計640bitが1/2に圧縮され320bitになったことを示している。また、左右分割された各１ラインのデータ量は1920bitである。圧縮ブロックのサイズは水平３２画素×垂直１画に限定されるものではなく任意のサイズでよい。例えば水平８画素×垂直８画素のように２次元構造としてもよい。
【手続補正８】
【補正対象書類名】明細書
【補正対象項目名】００６８
【補正方法】変更
【補正の内容】
【００６８】
以下、本実施形態に対応する画像処理部の構成について、より詳細に説明する。図８は、発明の実施形態２に対応する撮像装置８００の構成例を示すブロック図である。撮像装置８００は、撮像部８０１、画像処理部８０２、メモリバス圧縮部８０３及び８０７、メモリI/F部８０４、メモリ８０５、ノイズ除去部８０６、メモリバス伸長部８０８、８０９及び８１２、符号化部８１０、記録部８１１、表示部８１３、制御部８１４を含むように構成することができる。
【手続補正９】
【補正対象書類名】図面
【補正対象項目名】図１
【補正方法】変更
【補正の内容】
【図１】
2019201288.tif 000001
【手続補正１０】
【補正対象書類名】図面
【補正対象項目名】図１１
【補正方法】変更
【補正の内容】
【図１１】
2019201288.tif 000002